【手続補正書】
【提出日】平成27年9月28日(2015.9.28)
【手続補正１】
【補正対象書類名】特許請求の範囲
【補正対象項目名】全文
【補正方法】変更
【補正の内容】
【特許請求の範囲】
【請求項１】
ホモポリマーのガラス転移温度が１２０℃以上である第１エポキシ化合物１００重量部と、
ホモポリマーのガラス転移温度が６０℃以下である第２エポキシ化合物３０〜１００重量部と、
カチオン性光重合開始剤０．５〜２０重量部と、
を含み、
前記第２エポキシ化合物は脂環式エポキシ化合物及び脂肪族エポキシ化合物からなる群より選択される１種以上であり、
前記第２エポキシ化合物はグリシジルエーテル基を一つ以上含み、
前記第１エポキシ化合物と前記第２エポキシ化合物との重量比が１：１〜３：１である、
偏光板用接着剤組成物。
【請求項２】
前記第１エポキシ化合物は脂環式エポキシ化合物及び芳香族エポキシからなる群より選択される１種以上である、
請求項１に記載の偏光板用接着剤組成物。
【請求項３】
前記第１エポキシ化合物は３，４−エポキシシクロヘキシルメチル−３，４'−エポキシシクロヘキサンカルボン酸、ビニルシクロヘキセンジオキシドジシクロペンタジエンジオキシド、ビスエポキシシクロペンチルエーテル、ビスフェノールＡ系エポキシ化合物及びビスフェノールＦ系エポキシ化合物からなる群より選択された１種以上である、
請求項２に記載の偏光板用接着剤組成物。
【請求項４】
前記第２エポキシ化合物は、１，４−シクロヘキサンジメタノールジグリシジルエーテル、１，４−ブタンジオールジグリシジルエーテル、１，６−ヘキサンジオールジグリシジルエーテル、ネオペンチルジグリシジルエーテル、レゾルシノールジグリシジルエーテル、ジエチレングリコールジグリシジルエーテル、エチレングリコールジグリシジルエーテル、トリメチロールプロパントリグリシジルエーテル、ｎ−ブチルグリシジルエーテル、２−エチルヘキシルグリシジルエーテル、フェニルグリシジルエーテル、及びｏ−クレシル（Ｃｒｅｓｙｌ）グリシジルエーテルからなる群より選択された１種以上である、
請求項１に記載の偏光板用接着剤組成物。
【請求項５】
分子内に少なくとも１個のオキセタニル基を有するオキセタン化合物１００〜４００重量部をさらに含む、
請求項１から請求項４までの何れか１項に記載の偏光板用接着剤組成物。
【請求項６】
前記偏光板用接着剤組成物はビニル系化合物をさらに含み、前記ビニル系化合物の含量は全体接着剤組成物１００重量部に対して０．１〜１０重量部である、
請求項１から請求項５までの何れか１項に記載の偏光板用接着剤組成物。
【請求項７】
前記ビニル系化合物はヒドロキシＣ１−６アルキルビニルエーテル及びビニルアセテートからなる群より選択される少なくとも一つである、
請求項６に記載の偏光板用接着剤組成物。
【請求項８】
前記偏光板用接着剤組成物はシランカップリング剤をさらに含み、前記シランカップリング剤の含量は全体接着剤組成物１００重量部に対して０．１〜５重量部である、
請求項１から請求項７までの何れか１項に記載の偏光板用接着剤組成物。
【請求項９】
前記シランカップリング剤はエポキシ基、ビニル基、ラジカル基及びこれらの組み合わせからなる群より選択される１種以上のカチオン重合性官能基を含むものである、
請求項８に記載の偏光板用接着剤組成物。
【請求項１０】
前記偏光板用接着剤組成物はラジカル重合性モノマーをさらに含み、前記ラジカル重合性モノマーの含量は全体接着剤組成物１００重量部に対して０〜４０重量部である、
請求項１から請求項９までの何れか１項に記載の偏光板用接着剤組成物。
【請求項１１】
前記偏光板用接着剤組成物は光ラジカル重合開始剤をさらに含み、前記光ラジカル重合開始剤の含量は全体接着剤組成物１００重量部に対して０．５〜２０重量部である、
請求項１０に記載の偏光板用接着剤組成物。
【請求項１２】
前記偏光板用接着剤組成物のガラス転移温度は８０℃〜１２０℃である、
請求項１から請求項１１までの何れか１項に記載の偏光板用接着剤組成物。
【請求項１３】
前記偏光板用接着剤組成物は２５℃における粘度が１０〜５０ｃＰである、
請求項１から請求項１１までの何れか１項に記載の偏光板用接着剤組成物。
【請求項１４】
偏光子、前記偏光子の少なくとも一面に形成される接着剤層、及び、前記接着剤層上に形成される透明基材フィルムを含む偏光板であって、
前記接着剤層は請求項１から請求項１３までの何れか１項に記載の偏光板用接着剤組成物により形成される、
偏光板。
【請求項１５】
前記接着剤層と透明基材フィルムとの間にプライマー層をさらに含む、
請求項１４に記載の偏光板。
【請求項１６】
前記プライマー層は１〜５０重量部のウレタン高分子と、水分散性微粒子０．１〜１０重量部及び残部の水を含むプライマー組成物により形成される、
請求項１５に記載の偏光板。
【請求項１７】
請求項１４に記載の偏光板を含む、
光学素子。
【請求項１８】
前記透明基材フィルムは、アクリル系フィルム、ポリエチレンテレフタレート（ＰＥＴ）フィルム、アクリル系プライマー処理されたポリエチレンテレフタレート（ＰＥＴ）フィルム、ポリノルボルネン（ＰＮＢ）系フィルム、シクロオレフィンポリマー（ＣＯＰ）フィルム、ポリカーボネートフィルム、及びトリアセチルセルロース（ＴＡＣ）フィルムからなる群より選択された少なくとも一つである、
請求項１４から請求項１６までの何れか１項に記載の偏光板。
【手続補正２】
【補正対象書類名】明細書
【補正対象項目名】０１５７
【補正方法】変更
【補正の内容】
【０１５７】
【表３】
2015187744.tif 000001
［項目１］
ホモポリマーのガラス転移温度が１２０℃以上である第１エポキシ化合物１００重量部と、
ホモポリマーのガラス転移温度が６０℃以下である第２エポキシ化合物３０〜１００重量部と、
カチオン性光重合開始剤０．５〜２０重量部と、
を含む偏光板用接着剤組成物。
［項目２］
上記第１エポキシ化合物は脂環式エポキシ化合物及び芳香族エポキシからなる群より選択される１種以上である、
項目１に記載の偏光板用接着剤組成物。
［項目３］
上記第１エポキシ化合物は３，４−エポキシシクロヘキシルメチル−３，４'−エポキシシクロヘキサンカルボン酸、ビニルシクロヘキセンジオキシドジシクロペンタジエンジオキシド、ビスエポキシシクロペンチルエーテル、ビスフェノールＡ系エポキシ化合物及びビスフェノールＦ系エポキシ化合物からなる群より選択された１種以上である、
項目２に記載の偏光板用接着剤組成物。
［項目４］
上記第２エポキシ化合物は脂環式エポキシ化合物及び脂肪族エポキシ化合物からなる群より選択される１種以上である、
項目１から３の何れか１項に記載の偏光板用接着剤組成物。
［項目５］
上記第２エポキシ化合物はグリシジルエーテル基を一つ以上含むものである、
項目４に記載の偏光板用接着剤組成物。
［項目６］
上記第２エポキシ化合物は、１，４−シクロヘキサンジメタノールジグリシジルエーテル、１，４−ブタンジオールジグリシジルエーテル、１，６−ヘキサンジオールジグリシジルエーテル、ネオペンチルジグリシジルエーテル、レゾルシノールジグリシジルエーテル、ジエチレングリコールジグリシジルエーテル、エチレングリコールジグリシジルエーテル、トリメチロールプロパントリグリシジルエーテル、ｎ−ブチルグリシジルエーテル、２−エチルヘキシルグリシジルエーテル、フェニルグリシジルエーテル、及びｏ−クレシル（Ｃｒｅｓｙｌ）グリシジルエーテルからなる群より選択された１種以上である、
項目５に記載の偏光板用接着剤組成物。
［項目７］
上記第１エポキシ化合物と第２エポキシ化合物の重量比が１：１〜３：１である、
項目１から６の何れか１項に記載の偏光板用接着剤組成物。
［項目８］
分子内に少なくとも１個のオキセタニル基を有するオキセタン化合物１００〜４００重量部をさらに含む、
項目１から７の何れか１項に記載の偏光板用接着剤組成物。
［項目９］
上記偏光板用接着剤組成物はビニル系化合物をさらに含み、上記ビニル系化合物の含量は全体接着剤組成物１００重量部に対して０．１〜１０重量部である、
項目１から８の何れか１項に記載の偏光板用接着剤組成物。
［項目１０］
上記ビニル系化合物はヒドロキシＣ１−６アルキルビニルエーテル及びビニルアセテートからなる群より選択される少なくとも一つである、
項目９に記載の偏光板用接着剤組成物。
［項目１１］
上記偏光板用接着剤組成物はシランカップリング剤をさらに含み、上記シランカップリング剤の含量は全体接着剤組成物１００重量部に対して０．１〜５重量部である、
項目１から１０の何れか１項に記載の偏光板用接着剤組成物。
［項目１２］
上記シランカップリング剤はエポキシ基、ビニル基、ラジカル基及びこれらの組み合わせからなる群より選択される１種以上のカチオン重合性官能基を含むものである、
項目１１に記載の偏光板用接着剤組成物。
［項目１３］
上記偏光板用接着剤組成物はラジカル重合性モノマーをさらに含み、上記ラジカル重合性モノマーの含量は全体接着剤組成物１００重量部に対して０〜４０重量部である、
項目１から１２の何れか１項に記載の偏光板用接着剤組成物。
［項目１４］
上記偏光板用接着剤組成物は光ラジカル重合開始剤をさらに含み、上記光ラジカル重合開始剤の含量は全体接着剤組成物１００重量部に対して０．５〜２０重量部である、
項目１３に記載の偏光板用接着剤組成物。
［項目１５］
上記偏光板用接着剤組成物のガラス転移温度は８０℃〜１２０℃である、
項目１から１４の何れか１項に記載の偏光板用接着剤組成物。
［項目１６］
上記偏光板用接着剤組成物は２５℃における粘度が１０〜５０ｃＰである、
項目１から１５の何れか１項に記載の偏光板用接着剤組成物。
［項目１７］
偏光子、上記偏光子の少なくとも一面に形成される接着剤層及び上記接着剤層上に形成される透明基材フィルムを含む偏光板であって、
上記接着剤層は項目１〜１６の何れか１項に記載の偏光板用接着剤により形成される、
偏光板。
［項目１８］
上記接着剤層と透明基材フィルムとの間にプライマー層をさらに含む、
項目１７に記載の偏光板。
［項目１９］
上記プライマー層は１〜５０重量部のウレタン高分子と、水分散性微粒子０．１〜１０重量部及び残部の水を含むプライマー組成物により形成される、
項目１８に記載の偏光板。
［項目２０］
項目１７に記載の偏光板を含む、
光学素子。
［項目２１］
上記透明基材フィルムは、アクリル系フィルム、ポリエチレンテレフタレート（ＰＥＴ）フィルム、アクリル系プライマー処理されたポリエチレンテレフタレート（ＰＥＴ）フィルム、ポリノルボルネン（ＰＮＢ）系フィルム、シクロオレフィンポリマー（ＣＯＰ）フィルム、ポリカーボネートフィルム、及びトリアセチルセルロース（ＴＡＣ）フィルムからなる群より選択された少なくとも一つである、
項目１７から１９の何れか１項に記載の偏光板。
【手続補正３】
【補正対象書類名】明細書
【補正対象項目名】発明の名称
【補正方法】変更
【補正の内容】
【発明の名称】偏光板用接着剤、偏光板及び光学素子